(57)【特許請求の範囲】
【請求項１】
原稿の上方に位置し、前記原稿を撮像する撮像手段と、
入力された給紙用紙情報から給紙用紙のサイズを判断する給紙用紙サイズ判断手段と、
前記撮像手段から出力された画像信号に対して、前記判断した用紙サイズを枠画像として生成する枠画像生成手段と、
前記撮像手段から出力される画像信号に前記枠画像生成手段で生成した枠画像を合成する画像合成手段と、
前記画像合成手段によって合成された画像を表示する表示手段と、
前記原稿の載置位置を検知する原稿検知手段と、
を備え、
前記原稿検知手段は、前記枠画像の内側に前記原稿があることを検知した場合、その旨を前記枠画像生成手段に通知し、
当該通知を受けた前記枠画像生成手段は前記枠画像の表示情報を変更する画像読取装置。
【請求項２】
請求項１に記載の画像読取装置であって、
前記入力された給紙用紙情報から前記給紙用紙の方向を判断する給紙用紙方向判断手段を備え、
前記枠画像生成手段は前記給紙用紙方向判断手段が判断した前記給紙用紙の方向に合わせて前記枠画像の表示情報を変更する画像読取装置。
【請求項３】
請求項１又は２に記載の画像読取装置であって、
前記原稿検知手段は、前記枠画像の外側に前記原稿があることを検知した場合、その旨前記枠画像生成手段に通知し、当該通知を受けた前記枠画像生成手段は、前記枠画像の表示に前記原稿の位置を修正する指示表示を加える画像読取装置。
【請求項４】
請求項１ないし３のいずれか１項に記載の画像読取装置であって、
前記原稿検知手段の前記原稿の検知動作回数が、前記撮像手段の画像入力の入力動作回数よりも少ない画像読取装置。
【請求項５】
記録媒体に画像を形成する画像形成部と、
請求項１ないし４のいずれか１項に記載の画像読取装置と、
を備えた画像形成装置。
【請求項６】
請求項５に記載の画像形成装置であって、
原稿用紙サイズを指定する原稿用紙指示手段と、
給紙部にセットされた給紙用紙のサイズと方向を検知する給紙用紙検知手段と、
前記原稿用紙指示手段で指定された原稿用紙サイズと、前記給紙用紙検知手段によって検知された給紙用紙のサイズと方向とから、用紙情報を生成し、前記画像読取装置に出力する用紙情報生成手段と、
を備えた画像形成装置。
【請求項７】
原稿の上方に位置する撮像手段により前記原稿を撮像し、
用紙サイズ入力手段により前記原稿の用紙サイズを指示し、
前記撮像手段から出力された画像信号に対して、枠画像生成手段により前記用紙サイズ入力手段によって入力された用紙サイズを枠画像として生成し、
前記原稿の載置位置を検知する原稿検知手段によって、前記枠画像の内側に前記原稿があることを検知し、
検知結果を前記枠画像生成手段に通知し、
当該通知を受けた前記枠画像生成手段は前記枠画像の表示情報を変更し、
前記撮像手段から出力された画像信号に対して前記枠画像生成手段で生成した枠画像を画像合成手段により合成し、
前記画像合成手段によって合成された画像を表示手段に表示する原稿画像表示方法。  
【請求項８】
コンピュータに、
原稿の上方に位置する撮像手段により前記原稿を撮像する手順と、
用紙サイズ入力手段により前記原稿の用紙サイズを指示する手順と、
前記撮像手段から出力された画像信号に対して、枠画像生成手段により前記用紙サイズ入力手段によって入力された用紙サイズを枠画像として生成する手順と、
前記原稿の載置位置を検知する原稿検知手段によって、前記枠画像の内側に前記原稿があることを検知する手順と、
検知結果を前記枠画像生成手段に通知する手順と、
当該通知を受けた前記枠画像生成手段は前記枠画像の表示情報を変更する手順と、
前記撮像手段から出力された画像信号に対して前記枠画像生成手段で生成した枠画像を画像合成手段により合成する手順と、
前記画像合成手段によって合成された画像を表示手段に表示する手順と、
を実行させるためのプログラム。
【発明の詳細な説明】
【技術分野】
【０００１】
本発明は、画像読取装置、画像形成装置、原稿画像表示方法およびプログラムに関する。
【背景技術】
【０００２】
原稿の画像を読み取り、電気的に処理を行う画像読取装置には、従来から様々なタイプのものがある。これらの画像読取装置の中には、載置台等の上に原稿を上向きに載置し、原稿の読取面の上方から原稿を照明し、撮像して画像を読み取ることにより、読み取り操作の容易性を高めた画像読取装置がある。この種の装置は、トップショットスキャナとも称され、例えば特開２００６−０６７３３０号公報（特許文献１）に記載の画像読取装置が知られている。
【０００３】
この特許文献１記載の技術は、プレスキャン無しで原稿のサイズを検知する際、画角の限られた撮像装置を用いて、種々の原稿のサイズを検知するための原稿サイズ検知装置を備えた画像読取装置に関するものである。この技術では、撮像装置によって撮像される原稿台ガラス面上のボックス領域に、７つの検知位置が設定されている。そして、当該技術では、この検知位置における周辺画素の平均値を算出し、この平均値のデータ変化に応じて検知位置単位で「原稿あり・なし」を判定し、全ての検知位置における判定結果に基づいて原稿サイズを確定するようになっている。なお、撮像手段は、２次元撮像素子、所謂エリアセンサを備えている。
【発明の概要】
【発明が解決しようとする課題】
【０００４】
特許文献１に開示されているように、従来、コンタクトガラス上に置かれた原稿を、２次元撮像素子を備えた撮像装置（以下、エリアセンサとも称する。）で検出する場合には、原稿の置く場所は決まっており、２次元撮像素子を有する撮像装置の撮影する画像データに対して一意に原稿サイズを決定することができた。しかし、前記撮像手段とラインＣＣＤという複数の読み取り手段を備えているので、コストが高くなっていた。
【０００５】
一方、トップショットスキャナとしてエリアセンサを有する撮像装置を原稿の位置検出および画像読取に使用する場合、エリアセンサにより原稿サイズ検知と原稿読取を行うことができるので、低コスト化が可能である。しかし、ユーザが原稿を原稿台のどの位置においてよいかわからず、画像読取時に画像が読取範囲の外に出てしまうことがある。
【０００６】
そこで、本発明が解決しようとする課題は、印刷用紙に対する原稿読取領域をユーザに提示し、画像読取時に画像が読取範囲の外に出ることがないように注意を喚起することにある。
【課題を解決するための手段】
【０００７】
前記課題を解決するため、本発明の一態様は、原稿の上方に位置し、前記原稿を撮像する撮像手段と、入力された給紙用紙情報から給紙用紙のサイズを判断する給紙用紙サイズ判断手段と、前記撮像手段から出力された画像信号に対して、前記判断した用紙サイズを枠画像として生成する枠画像生成手段と、前記撮像手段から出力される画像信号に前記枠画像生成手段で生成した枠画像を合成する画像合成手段と、前記画像合成手段によって合成された画像を表示する表示手段と、前記原稿の載置位置を検知する原稿検知手段と、を備え、前記原稿検知手段は、前記枠画像の内側に前記原稿があることを検知した場合、その旨を前記枠画像生成手段に通知し、当該通知を受けた前記枠画像生成手段は前記枠画像の表示情報を変更する画像読取装置を特徴とする
【発明の効果】
【０００８】
本発明によれば、印刷用紙に対する原稿読取領域をユーザに提示し、画像読取時に画像が読取範囲の外に出ることがないように注意を喚起することができる。なお、前記以外の課題、構成及び効果は、以下の実施形態の説明において明らかにされる。
【図面の簡単な説明】
【０００９】
【図１】本発明の一実施形態に係る画像読取装置を備えた画像形成装置の内部構成の概略を示す図である。
【図２】図１におけるドキュメントスキャナの詳細を示す図である。
【図３】図１の画像形成装置のハード構成を示すブロック図である。
【図４】本発明の一実施形態における印刷領域を示す動画表示を行うためのドキュメントスキャナの機能構成を示す機能ブロック図である。
【図５】本発明の一実施形態におけるＡ３原稿に対して、用紙Ａ４横を指定した場合の画像表示部の表示例を示す図である。
【図６】図５におけるＡ３原稿を縮小した画像表示部の表示例を示す図である。
【図７】図４に示した機能ブロック部における各機能を使用してドキュメントスキャナのＣＰＵが実行する制御手順を示すフローチャートである。
【図８】ステップＳ１０９における枠画像のサイズと向きの決定処理で参照する撮像素子、画像表示部および用紙サイズの関係を示す図である。
【図９】ステップＳ１１２における動画データと枠画像データの合成についての具体例を示す説明図である。
【図１０】ステップＳ１１３における給紙トレイにおける用紙のセット状態と枠表示の関係を示す図である。
【図１１】図４の構成に原稿検知部を追加し、枠画像に対する原稿位置の検知を行う構成を示す機能ブロック図である。
【図１２】図１１の原稿検知部が原稿検知判定を行うために表示される画像表示部の表示状態を示す図である。
【図１３】図１２で原稿がずれているときに原稿台のマーキング中心へ原稿を移動する警告表示の表示例を示す図である。
【図１４】インターネットなどの通信網によってパーソナルコンピュータなどの装置にプログラムを配布する構成の一例を示す図である。
【発明を実施するための形態】
【００１０】
本発明は、画像読取装置、例えばトップショットスキャナと称される画像読取装置においてエリアセンサを解像度の低い動画撮影機能で動作させ、動画撮影された画像データに対して印刷する画像領域を付与した表示データを生成し、表示機能に表示を行うことが特徴になっている。以下、図面を参照し、本発明の実施形態について説明する。
【００１１】
図１は本発明の一実施形態に係る画像読取装置を備えた画像形成装置の内部構成の概略を示す図である。同図において、画像形成装置１００は、スキャナ１０１、画像読取装置（以下、ドキュメントスキャナと称す。）１０２、給紙部１０３、画像形成装置本体１０４および操作部１１４から基本的に構成されている。
【００１２】
画像形成装置本体１０４内には、タンデム方式の作像部１０５、レジストローラ１０８、光書き込み装置１０９、定着部１１０および両面トレイ１１１を備えている。レジストローラ１０８は作像部１０５に給紙部１０３から搬送路１０７を介して記録紙を供給するためのもので、転写する中間転写ベルト１１３上の画像と記録紙の画像形成位置とのタイミングを合わせて作像部１０５側に記録紙を搬送する。作像部１０５には、ＹＭＣＫ４色に対応して４本の感光体ドラム１１２が並設され、各感光体ドラム１１２の回りは帯電器、現像器１０６、転写器、クリーナ、および除電器を含む作像要素が配置されている。また、転写器と感光体ドラム１１２との間には両者のニップに挟持された状態で駆動ローラと従動ローラとの間に張架された前記中間転写ベルト１１３が配置されている。
【００１３】
このように構成されたタンデム方式の画像形成装置では、ＹＭＣＫの色毎に各色に対応する感光体ドラム１１２に光書き込みを行い、現像器１０６で各色のトナー毎に現像し、中間転写ベルト１１３上に例えばＹ，Ｍ，Ｃ，Ｋの順で１次転写する。そして、１次転写により４色重畳されたフルカラーの画像を給紙部１０３から搬送路１０７を介して搬送されてきた記録紙に２次転写した後、定着部１１０で定着する。定着部１１０で画像が定着された記録紙は、定着部１１０の搬送装置により搬送され、排紙トレイ上に排紙される。このような一連の動作によりフルカラーの画像が記録紙上に形成される。
【００１４】
図２は図１におけるドキュメントスキャナの詳細を示す図で、同図（ａ）は正面図、同図（ｂ）はドキュメントスキャナの照明装置を矢印Ａ方向（下面側）から見た図である。
【００１５】
ドキュメントスキャナ１０２は、エリアセンサ（撮像装置）２０１、原稿を照らす照明装置２０５、原稿２５０を載置する原稿台２０３、ならびにエリアセンサ２０１および照明装置２０５を支持する支持部２０４を備えている。原稿台２０３の原稿を載置する領域には、例えば後述の図１２に示すように最大原稿サイズより大きな黒く色付けされた原稿載置領域が設定されている。なお、特に符号は付していないが、原稿載置領域には中央を通る十字の白線が引かれ、領域をさらに４つに分割している。
【００１６】
また、この支持部２０４の基部には、エリアセンサ２０１で撮影した動画を表示する画像表示部５０１が設けられている。画像表示部５０１は支持部２０４のどの位置に設けられていても良いが、この位置が原稿２５０と画像表示部５０１との間でユーザが視線を動かす量が最も小さい位置である。作業上、視線が動く量は少ない方が好ましい。エリアセンサ２０１は、前述のように２次元撮像素子を備え、対象物を撮像する機能を有する装置である。具体的には、例えば２次元撮像素子を備えたカメラが使用できる。
【００１７】
図２の例では、原稿台２０３に対して上向きに原稿２５０をセットして、その上方に位置するエリアセンサ２０１を用いて原稿スキャンを実施する。このような形態の画像読取装置１０２では読取画像に室内照明の写り込みや、撮影者自身の影の写り込み（以後、外来影響）が発生する。そこで、本実施形態に係る画像読取装置１０２では、これらの外来影響を抑制する照明装置２０５が装備されている。照明装置２０５は、本実施形態では、複数のＬＥＤ２０２をエリアセンサ２０１の両側の長手方向に２列平行に配置してＬＥＤ照明としている。照明装置２０５はユーザのスキャン指示にあわせて点灯・消灯を行う。
【００１８】
本実施形態に係る画像読取装置１０２の読み取り手順は以下の通りである。すなわち、ユーザが原稿台２０３に原稿２５０をセットして、スキャンしたいページを開き、操作部１１４のスタートボタンを押下する。これにより、照明装置２０５が点灯し、原稿スキャンが行われる。その後、ユーザが原稿２５０のページをめくり、操作部１１４のスタートボタンを押下する、という動作を繰り返す。これにより原稿２５０の連続スキャンが可能となる。また、操作部１１４からの選択動作により、スキャン後の読み取り画像データについて、ハードコピーを出力する、あるいはＨＤＤなどの記憶装置へデータを出力する、等の選択が可能である。
【００１９】
図３は図１の画像形成装置のハード構成を示すブロック図である。同図において、画像形成装置は画像形成装置本体１０４とドキュメントスキャナ１０２とを備えた構成となっている。
【００２０】
ドキュメントスキャナ１０２は、制御デバイス３０１、記憶装置３０２、制御インターフェース（以下、Ｉ／Ｆと称する。）３０３、画像Ｉ／Ｆ３０４、エリアセンサ２０１および照明装置２０５を含む。
【００２１】
制御デバイス３０１は、エリアセンサ２０１および照明装置２０５など各種デバイスの制御および画像処理を行い、記憶装置３０２は例えば画像データなどの大容量のデータを読み書き可能に保持するＨＤＤ（ハードディスク装置）などの大容量メモリからなる。制御Ｉ／Ｆ３０３は画像形成装置本体１０４との間で制御指示の遣り取りを行うインターフェースである。画像Ｉ／Ｆ３０４は画像形成装置本体１０４との間で画像データを遣り取りするインターフェースである。また、画像Ｉ／Ｆ３０４は、支持部２０４に設置された画像表示部５０１への画像表示のためのインターフェースとしても機能する。
【００２２】
制御デバイス３０１は、ＣＰＵ３０１ａ、ＲＯＭ３０１ｂ、ＲＡＭ３０１ｃ、ＮＶ−ＲＡＭ３０１ｄの各モジュールを含む。ＲＯＭ（Read Only Memory、以下、同様。）３０１ｂは、ドキュメントスキャナ１０２内でのデータの管理および周辺モジュールを制御するためのプログラムを格納している。ＣＰＵ（Central Processing Unit、以下、同様。）３０１ａはＲＯＭ３０１ｂに格納されたプログラムの手順に従って所定の処理を実行する。ＲＡＭ（Random Access Memory、以下、同様。）３０１ｃは、ＣＰＵ３０１ａが処理するときのワークメモリであり、エリアセンサ２０１からのデータを一時記憶するバッファおよびバッファに記憶されたデータを処理するメモリ等に使われる。ＮＶ−ＲＡＭ３０１ｄは、電源を切っても保持したいデータを格納しておくための不揮発性ＲＡＭである。
【００２３】
画像形成装置本体１０４は、本体制御コントローラ２１０、画像処理デバイス２２０および本体制御デバイス２３０を含む。本体制御コントローラ２１０、画像処理デバイス２２０および本体制御デバイス２３０は、制御デバイス３０１と同様にＣＰＵ２１０ａ，２２０ａ，２３０ａ、ＲＯＭ２１０ｂ，２２０ｂ，２３０ｃ、ＲＡＭ２１０ｃ，２２０ｃ，２２０ｃ、ＮＶ−ＲＡＭ２１０ｄ，２２０ｄ，２３０ｄを備えている。これらの各制御要素の機能は制御デバイス３０１の制御要素と同様である。なお、制御デバイス３０１、画像処理デバイス２２０、本体制御デバイス２３０は必要に応じて所望の部分をＡＳＩＣ（application specific integrated circuit）に置き換えることもできる。また、本体制御コントローラ２１０は、外部と通信を行うための通信部２１１を備えている。
【００２４】
画像形成装置本体１０４には、前記作像部１０５などの作像要素からなるプリンタエンジン２１５が含まれ、画像処理デバイス２２０はプリンタエンジン２１５を制御して記録紙に画像を形成させる。そのため、ＣＰＵ２２０ａとバス接続されたエンジンＩ／Ｆ２２１を備え、エンジンＩ／Ｆ２２１を介してプリンタエンジン２１５を制御する信号を送信し、プリンタエンジン２１５側から画像形成に必要各部の情報を受信する。また、画像形成のための情報およびプログラムを保持するための記憶装置としてＨＤＤ２２２を備えている。
【００２５】
画像形成装置本体１０４には、ユーザＩ／Ｆとして操作部１１４と操作表示部（図では、単に表示部と記載）２３２が設けられ、操作部Ｉ／Ｆ２３１と表示部Ｉ／Ｆ２３３を介して本体制御デバイス２３０と通信可能に接続されている。
【００２６】
図４は印刷領域を示す動画表示を行うためのドキュメントスキャナの機能構成を示す機能ブロック図である。
【００２７】
画像形成装置本体１０４は、原稿用紙指示部５０９、給紙用紙検知部５１１および用紙情報生成部５１０の各機能部を含む。給紙用紙検知部５１１は給紙部１０３の給紙トレイ１０３ａに搭載された用紙サイズと向きを検出する機能を備えている。用紙情報生成部５１０は、ユーザが原稿用紙指示部５０９から指定した原稿用紙サイズと、給紙用紙検知部５１１で検知された用紙サイズと向きとから用紙情報を生成し、ドキュメントスキャナ１０２側に送る。
【００２８】
具体的には、原稿用紙指示部５０９は操作部１１４において液晶画面に表示される「Ａ４横」、「Ａ４縦」あるいは「Ａ３」などの用紙サイズを操作部１１４の操作画面からユーザがサイズを選択することにより原稿の用紙サイズの情報を作成する。
【００２９】
給紙用紙検知部５１１は給紙部１０３の給紙トレイ１０３ａに設置された、例えば、エンドフェンス５１１ａとサイドフェンス５１１ｂの位置を検出して、用紙サイズを検知するようになっている。詳細は図１０を参照して後述する。なお、給紙用紙検知部５１１は給紙部１０３の給紙トレイ１０３ａ内部に例えば複数の反射型センサを設置し、給紙トレイ１０３ａを閉めたときに用紙のサイズと向きをセンサの光の反射によって検知するように構成することもできる。
【００３０】
検出された結果は第１トレイが「Ａ４縦」、第２トレイが「Ａ４横」など画像形成装置１００の保有する給紙トレイ１０３ａの数に応じて、情報が検出され作成される。
【００３１】
操作部１１４でユーザにより用紙サイズが「Ａ３」と指示された場合、原稿用紙指示部５０９からは「Ａ３」という情報が用紙情報生成部５１０に入力される。また、給紙用紙検知部５１１から、全ての給紙トレイ１０３ａの情報が用紙情報生成部５１０へ入力される。入力される全ての給紙トレイ１０３ａの情報は、例えば、第１給紙トレイ：「Ａ４縦」、第２給紙トレイ：「Ａ４横」、第３給紙トレイ：「Ａ３横」、第４給紙トレイ：「Ａ４縦」のように４段給紙トレイの場合には４つの情報である。
【００３２】
用紙情報生成部５１０では原稿用紙指示部５０９から入力された「Ａ３」という情報に対して、また、給紙用紙検知部５１１から入力された情報に対して、以下の２点の情報が生成され、給紙用紙情報としてドキュメントスキャナ１０２に入力される。
（１）  最大の給紙トレイ情報  →  第３給紙トレイ：「Ａ３横」
（２）  選択された原稿用紙指示に対する対応給紙トレイ情報  →第３給紙トレイ：「Ａ３横」
ここで、原稿用紙指示部５０９で「Ａ４縦」等が選択された場合には、（２）の情報が変更される。 
【００３３】
ドキュメントスキャナ１０２は、画像入力部３０５、フォーマット変換部３０６、画像表示部５０１、画像合成部５０２、枠画像生成部５０３、枠位置算出部５０４、枠画像サイズ判断部５０５、給紙用紙サイズ判断部５０６、枠画像方向判断部５０７、給紙用紙方向判断部５０８および画像サイズ情報生成部５１２の各機能部を含む。
【００３４】
画像入力部３０５はエリアセンサ２０１から入力された画像データを受け取り、記憶装置３０２に前記受け取った画像データを格納する。フォーマット変換部３０６は入力された画像データに対して、ＲＧＢフォーマット以外であった場合に、ＲＧＢフォーマットへと変換を行う。一例として、ＹＣｂＣｒ４２２フォーマットの画像に対して、一般的な計算を行い、ＲＧＢ８８８フォーマットの画像データへと変換を行うような計算処理を行う。
【００３５】
給紙用紙サイズ判断部５０６は、画像形成装置本体１０４の用紙情報生成部５１０で生成された給紙用紙情報に基づいて用紙サイズを判断する。枠画像サイズ判断部５０５は、給紙用紙サイズ判断部５０６によって用紙のサイズが判断されると、この判断に基づいてそれにあった枠画像を生成するために枠画像サイズを判断する。給紙用紙方向判断部５０８は、前記給紙用紙情報に基づいて用紙の向きを判断する。枠画像方向判断部５０７は、給紙用紙方向判断部５０８の判断に基づいて、その向きにあった枠画像を生成するために枠画像の方向を判断する。
【００３６】
そして、枠画像サイズ判断部５０５からの枠画像方向情報が枠位置算出部５０４と枠画像生成部５０３に送られる。併せて、枠画像方向判断部５０７からの枠画像方向情報が枠位置算出部５０４と枠画像生成部５０３に送られる。画像サイズ情報生成部５１２はフォーマット変換部３０６で変換された画像データに対して、エリアセンサ２０１の解像度とあわせて画像サイズ情報を生成し、生成した画像サイズ情報を枠位置算出部５０４と枠画像生成部５０３に送る。
【００３７】
なお、本実施形態では固定の画像サイズ情報の場合について説明するが、エリアセンサ２０１がズーム機能などの拡大縮小機能を備えている場合、あるいは支持部２０４が可動の場合（伸縮する場合）などについては、画像サイズが変化する。そのような場合には、画像サイズ情報生成部５１２は画像サイズの変化に合わせて画像サイズ情報を生成する。
【００３８】
図５は例えばＡ３原稿に対して、用紙Ａ４横を指定した場合の画像表示部の表示例を示す図、図６は図５におけるＡ３原稿を縮小した画像表示部の表示例を示す図である。用紙Ａ４横を指定するとは、ユーザが操作部１１４の液晶画面に表示される「Ａ４横」を選択することである。このときの枠画像を５０１ａで示す。この場合、用紙指定変倍（Ａ３→Ａ４）を操作部１１４で指示することになる。この場合には、図６に示すように枠画像５０１ａの枠サイズは給紙のＡ４横のままで、原稿２５０を画像処理して、縮小して表示する。また、用紙指定変倍でなく、任意変倍する場合でも、その倍率に合わせて画像を縮小することによって表示される原稿のサイズが変わり、枠に入るか入らないかが分かる。用紙指定変倍などの変倍処理は操作部１１４からの入力により画像処理デバイス２２０のＣＰＵ２２０ａ（プリンタコントローラ）が実行する。
【００３９】
なお、図５および図６では、異なる線種で示しているが、図５のように原稿画像２５０ａが枠画像５０１ａより大きい場合には、例えば枠画像５０１ａを「赤」の線で示し、図６のように原稿画像２５０ａが枠画像５０１ａより小さい場合には、例えば枠画像５０１ａを「青」の線で示すようにする。すなわち、前者では原稿２５０を読み取っても画像データが漏れているので読み取りデータは使用不可であり、後者では、原稿２５０のデータを全て読み取ることができるので使用可ということ、言い換えれば枠画像５０１ａに原稿画像２５０ａが収まるかどうかにより色分けしている。これにより原稿の読み取りデータの使用の可不可が枠画像５０１ａの色で識別することができる。
【００４０】
画像合成部５０２はフォーマット変換部３０６で変換された画像データと枠画像生成部５０３で生成された枠画像データとを合成する機能を有し、枠位置算出部５０４で算出した位置情報に基づいて合成処理を行う。合成された画像データは画像表示部５０１に表示される。画像は画像形成装置本体１０４に画像データを送信し、操作部１１４に表示しても良いが、本実施形態ではユーザの利便性の向上を図るために、ドキュメントスキャナ１０２に搭載された画像表示部５０１に表示する。画像表示部５０１は例えば支持部２０４の基部のユーザに向いた面に設けられている。この位置は、前述のようにユーザが原稿と画像表示部５０１に表示される枠画像および原稿を容易に対比できる位置である。
【００４１】
図７は図４に示した機能ブロック部における各機能を使用してドキュメントスキャナのＣＰＵが実行する制御手順を示すフローチャートである。
【００４２】
画像形成装置１００は電源投入後、ユーザの操作待ち状態となる。ユーザが操作部１１４に対して、ドキュメントスキャナモードを選択することで、本フローチャートの動作が開始される（ステップＳ１０１、以下図ではステップＳをＳのみの表示とする。）。それ以外のモードとして、通常のコピーモードあるいはスキャナモードなどがあるが、ここでは既知の技術のため、割愛する。
【００４３】
ユーザがドキュメントスキャナモードを選択した場合には（ステップＳ１０１：Ｙｅｓ）、制御デバイス３０１のＣＰＵ３０１ａはエリアセンサ２０１に対して、定期的に画像取得を行う動画モードを設定する（ステップＳ１０２）。エリアセンサ２０１は定期的に原稿台２０３側を撮影し、動画データを制御デバイス３０１側に送る。制御デバイス３０１のＣＰＵ３０１ａは受信した動画データを定期的に記憶装置３０２に保存する（ステップＳ１０３）。
【００４４】
記憶装置３０２に保存された動画データは画像表示部５０１に表示するため、制御デバイス３０１のＣＰＵ３０１ａが画像表示部５０１の表示サイズおよび表示タイミングに合わせて画像データを編集する。具体的には、ＣＰＵ３０１ａは画像表示部５０１の表示サイズに対して、動画データの画像サイズが大きい場合には縮小処理を行って画像サイズを表示サイズに合わせた大きさとする（ステップＳ１０４）。ＣＰＵ３０１ａは表示データの準備が完了した後、画像表示部５０１に対して画像データの転送を開始し、画像表示部５０１は、転送されてきた画像データを表示する（ステップＳ１０５）。
【００４５】
その後、ＣＰＵ３０１ａは操作部１１４（原稿用紙指示部５０９）に対して原稿サイズをユーザが指定しているか否かを確認する（ステップＳ１０６）。まだ原稿サイズの指定が完了していない場合には待機状態となり（ステップＳ１０６：Ｎｏ）、原稿サイズの指定が完了している場合には、次のステップへと進む（ステップＳ１０６：Ｙｅｓ）。
【００４６】
用紙情報生成部５１０を構成する本体制御デバイス２３０のＣＰＵ２３０ａは、給紙トレイ１０３ａで使用する用紙情報をドキュメントスキャナ１０２の制御デバイス３０１のＣＰＵ３０１ａに送信する（ステップＳ１０７）。給紙トレイ１０３ａで使用する用紙情報は、操作部１１４の原稿用紙指示部５０９で選択された原稿用紙のサイズ情報と給紙用紙検知部５１１からの用紙情報を用いて用紙情報生成部５１０が生成した情報である。
【００４７】
制御デバイス３０１のＣＰＵ３０１ａは、取得した用紙情報から給紙用紙サイズ判断部５０６と給紙用紙方向判断部５０８で用紙のサイズと向きをそれぞれ判断する（ステップＳ１０８）。次いで、ＣＰＵ３０１ａは枠画像サイズ判断部５０５と枠画像方向判断部５０７で表示データに付与する枠画像のサイズと向きをそれぞれ決定する（ステップＳ１０９）。
【００４８】
ステップＳ１０９における枠画像のサイズと向きの決定処理についてさらに詳しく説明する。図８は撮像素子（同図（ａ））、画像表示部（同図（ｂ））および用紙サイズ（同図（ｃ））の関係を示す図である。
【００４９】
エリアセンサ２０１は画像表示部５０１のサイズと解像度の情報を持っている。これに対して、制御デバイス３０１のＣＰＵ３０１ａは用紙情報生成部５１０から入力された用紙情報と画像表示部５０１のサイズと解像度の情報とを比較して枠画像５０１ａを生成する。例えば、表示サイズ１０２４画素ｘ７６８画素の７ｉｎｃｈ液晶と給紙トレイ「Ａ３横」の場合では、図７に示すように最大の給紙用紙のサイズ情報が「Ａ３横」なので、
Ａ３用紙サイズ→縦２９７ｘ横４２０（ｍｍ）
表示サイズ→縦７６８ｘ横１０２４（画素）
縦の割合≧７６８／２９７＝２．５９≒２．５（画面内に収めるため、小数点第２以下切捨て）
横の割合≧１０２４／４２０＝２．４３≒２．４（画面内に収めるため、小数点第２以下切捨て）
縦、横の割合のうち最小のもの≧２．４
以上から、原稿２５０の最大表示サイズは
縦：２９７ｘ２．４  ＝  ７１２（画素）
横：４２０ｘ２．４  ＝  １００８（画素）
となる。
【００５０】
これに対して、枠画像５０１ａのサイズを決定する。枠画像５０１ａはＡ３横のため、縦７１２ｘ横１００８（画素）となる。また、「Ａ４縦」の場合には横幅が半分となるため、枠画像５０１ａは縦７１２ｘ横５０４（画素）となる。
【００５１】
なお、エリアセンサ２０１の撮像素子は、例えば、
読み取りサイズ→横４０９６（画素）×縦３０１４（画素）
なので、
縦の割合≧３０１４／７６８＝４．０４≒４．０（小数点第２以下切捨て）
横の割合≧４０９６／１０２４＝４
となり、撮像素子で読み取った画像情報をそのまま画像表示部５０１の大きさに縮小して表示すればよいことになる。
【００５２】
制御デバイス３０１のＣＰＵ３０１ａは、決定した枠画像５０１ａの画像データを枠画像生成部５０３で生成する（ステップＳ１１０）。次いで、ＣＰＵ３０１ａは、動画データの画像サイズを画像サイズ情報生成部５１２で生成する。そして、ＣＰＵ３０１ａは、枠画像サイズ判断部５０５からの枠画像方向情報と、枠画像方向判断部５０７からの枠画像方向情報と、前記生成された画像サイズとから枠位置算出部５０４で枠画像５０１ａを合成する位置を算出する（ステップＳ１１１）。
【００５３】
さらに、ＣＰＵ３０１ａは、枠画像生成部５０３で枠画像５０１ａを生成し、その後、画像合成部５０で動画データのサイズ情報にあわせて記憶装置３０２の動画データと枠画像データを合成して記憶装置３０２に保存する（ステップＳ１１２）。
【００５４】
図９はステップＳ１１２における動画データと枠画像データの合成についての具体例を示す説明図である。図９において、例えば、動画データのサイズが１０２４画素ｘ７６８画素で、枠画像５０１ａが８００画素ｘ６００画素であった場合、横方向については
１０２４−８００＝２２４（画素）
が枠画像５０１ａの外の部分となる。このため、
２２４／２＝１１２（画素）
が片側の枠画像の外となる。その結果、１１３画素目が枠画像５０１ａの内側となる。同様に縦方向は
（７６８−６００）／２＝８４（画素）
が枠画像５０１ａの片側の外となるため、８５ライン目が枠画像５０１ａの内側となる。そこで、図９に示すように上から８５ライン目の左から１１３画素目が枠画像５０１ａの左上となるように画像データを合成する。
【００５５】
枠画像５０１ａを合成した表示画像データの生成が完了したところで、制御デバイス３０１のＣＰＵ３０１ａは画像表示部５０１の表示画像の切り替えを行い、画像表示部５０１に枠画像５０１ａを合成した画像データの表示を開始する（ステップＳ１１３）。
【００５６】
その後、ユーザが操作部１１４のスタートキーを押下するまで画像表示部５０１への表示を継続する（ステップＳＳ１１４：Ｎｏ）。ステップＳ１１３の後、スタートキーが押下されるまでに、原稿サイズの指定が変更された場合には（ステップＳ１１５：Ｙｅｓ）、再度原稿サイズの指示情報を取得するためステップＳ１０７に戻り、ステップＳ１０７以降の処理を繰り返す。原稿サイズの指定が変更されない場合には（ステップＳ１１５：Ｎｏ）、ユーザがスタートキーを押すまで待機し、スタートキーを押した時点でスキャンを開始し、この処理を終える。
【００５７】
図１０は給紙トレイにおける用紙のセット状態と枠表示の関係を示す図である。
【００５８】
給紙用紙検知部５１１は給紙部１０３の給紙トレイ１０３ａに設置され、給紙トレイ１０３ａに積載された用紙のサイズと方向を検知する機能部と設けられている。本実施形態では、例えば、エンドフェンス５１１ａとサイドフェンス５１１ｂの位置を検出して、用紙サイズを確定する機能を備えている。例えば、Ａ３用紙を搭載した場合には用紙の方向が固定なためエンドフェンスおよびサイドフェンスは図１０（ａ）に示すように用紙の大きさに合わせてセットすることとなる。Ａ４用紙の場合には横方向か縦方向の２種類に用紙を搭載できるため、その方向にあわせてエンドフェンス５１１ａあるいはサイドフェンス５１１ｂが短くなり、用紙の方向を検知することができる。図１０（ｂ）はＡ４縦、図１０（ｃ）はＡ４横の場合を示している。
【００５９】
図１０では、エンドフェンス５１１ａの位置を検出する図示しない検出装置（センサ）およびサイドフェンス５１１ｂの位置を検出する図示しない検出装置（センサ）を備え、前記各位置をそれぞれ検出装置（センサ）で検出し、その検出情報に基づいて表示する枠画像５０１ａを枠画像生成部５０３で生成する。サイドフェンス５１１ｂの位置情報は枠画像５０１ａの縦方向の長さと連動し、エンドフェンス５１１ａの位置情報は枠画像５０１ａの横方向の長さと連動する。また、原稿サイズに対して、サイドフェンス５１１ｂあるいはエンドフェンス５１１ａの位置が定型の原稿サイズとずれている場合には、給紙トレイ１０３ａのセット状態に問題があるため、画像表示部５０１には給紙トレイ１０３ａでの用紙のセットを再度やり直す指示などの警告を表示するようにする。
【００６０】
なお、図１０では、左側の縦並びが給紙トレイ１０３ａの状態を、中央の縦並びが枠画像５０１ａの表示を、右側の縦並びが動画表示の例を、それぞれ示す。
【００６１】
図１１は、図４の構成に原稿検知部を追加し、枠画像に対する原稿位置の検知を行う構成を示す機能ブロック図である。
【００６２】
原稿検知部７０１は、画像入力部３０５から入力された入力画像に画像合成部５０２で枠画像５０１ａを合成した合成画像が入力され、枠画像５０１ａに対して対象となる原稿２５０が正常に撮影できるかを判断する機能部である。原稿検知部７０１は制御デバイス３０１のＣＰＵ３０１ａにプログラムにより設定されており、ソフトウェアによって構成された機能部である。その他、各部及び各部の機能は図４の各部を同一なので、重複する説明は省略する。
【００６３】
図１２は原稿検知部における原稿検知の判定を行うために表示される画像表示部の表示状態を示す図である。（ａ）は画像データの領域分割を示す図、（ｂ）は原稿なしの状態を示す図、（ｃ）は原稿ズレ１の状態を示す図、（ｄ）は原稿ズレ２を示す図、（ｅ）は原稿ＯＫ判定１を示す図、（ｆ）は原稿ＯＫ判定２を示す図、（ｇ）は原稿ＯＫ判定３を示す図である。
【００６４】
原稿検知部７０１は、図１２（ａ）に示すように、表示する画像データを第１の領域（１）〜第４の領域（４）の４つの領域に分割して画像検出を行う。その際、本実施形態では、第１の領域（１）〜第４の領域（４）において枠画像５０１ａの外と内を別の領域として画像検出を実施する。つまり、第１の領域（１）外、第１の領域（１）内、・・・というように領域を８分割する。
【００６５】
まず、表示画像データに対して、第１の領域（１）内の枠画像５０１ａに隣接した画素に対して、カラー情報が黒か否かを判断する。第１の領域（１）内の枠画像５０１ａの下側（（１）−１）の画素のカラー情報が「黒」の場合は、枠内上側に原稿２５０がないと判定する。また、第１の領域（１）内の枠画像５０１ａの左側（（１）−２）の画素のカラー情報が「黒」の場合には枠内右側に原稿２５０がないと判定する。なお、ここでいう「黒」を図面では濃い網点で示している。なお、「黒」の領域３０５ａは、前述のように予めドキュメントスキャナ１０２の原稿台２０３上に設けられた原稿載置領域であり、画像入力部３０５からの入力画像データに含まれ、原稿位置判断に使用される。
【００６６】
同様に第２の領域（２）内についても判定を行い、上側（（２）−１）と左側（（２）−２）に原稿２５０がないか判定し、第３の領域（３）内は右側（（３）−２）と下側（（３）−１）について、第４の領域（４）内は左側（（４）−２）と下側（（４）−１）について、それぞれ判定する。
【００６７】
図１２（ｂ）の状態では第１の領域（１）内〜第４の領域（４）内の前記判定した領域の画素のカラー情報に「黒」が検出される。そこで、この状態のときには、枠画像５０１ａ周辺には原稿２５０がないと判定する。
【００６８】
枠画像５０１ａ周辺に原稿２５０がないと判定した場合には引き続き中心部に原稿２５０がないか判定する。第１の領域（１）内では左下（（１）−３）、第２の領域（２）内では右下（（２）−３）、第３の領域（３）内では左上（（３）−３）、第４の領域（４）内では右上（（４）−４）の各範囲を対象とする。その際、原稿台２０３のマーキングなどにより誤検出を行うことがあるため、第１の領域（１）内〜第４の領域（４）内の各対象範囲においてはその境界から数画素（ここでは１０画素と規定する）離れた範囲とし、原稿台２０３のマーキングがない範囲となるように指定する。
【００６９】
第１の領域（１）内〜第４の領域（４）内の中心部に寄った前記範囲（（１）−３、（２）−３、（３）−３、（４）−３）の画素においてカラー情報が「黒」か否かを判定し、「黒」と判定できる場合には、中心部にも原稿２５０がないため、原稿２５０が枠画像５０１ａ内に存在しないと判断し、枠画像５０１ａの色を例えば赤色に設定し、枠画像生成部５０３へ通知する。
【００７０】
逆に前記範囲（（１）−３、（２）−３、（３）−３、（４）−３）のカラー情報に「黒以外」がある場合には、原稿２５０が枠画像５０１ａ内に存在するとして、枠画像５０１ａの色を例えば青色に設定し、枠画像生成部５０３へ通知する。その際の原稿状態は図１２（ｇ）となる。
【００７１】
枠画像５０１ａ周辺に原稿２５０があると判定する場合は以下のようになる。
【００７２】
第１の領域（１）内〜第４の領域（４）内の枠画像５０１ａに隣接した領域（（１）−１、（１）−２、（２）−１、（２）−２、（３）−１、（３）−２、（４）−１、（４）−２）の画素のカラー情報が「黒以外」を検出した場合、その部分に原稿２５０があると判定し、枠画像５０１ａ内に原稿２５０があると判断する。
【００７３】
その際、領域（（１）−１、（１）−２、（２）−１、（２）−２、（３）−１、（３）−２、（４）−１、（４）−２）の全ての画素のカラー情報が「黒以外」を検出した場合には枠画像５０１ａ内に原稿２５０が入っていると判断できるため、枠画像５０１ａの色を青色に設定し、枠画像生成部５０３へ通知する。その際の原稿状態は図１２（ｅ）および（ｆ）となる。
【００７４】
また、領域（（１）−１、（１）−２、（２）−１、（２）−２、（３）−１、（３）−２、（４）−１、（４）−２）のいずれかの領域の画素のカラー情報で「黒」を検出した場合には、原稿２５０が枠画像５０１ａの外にずれている可能性があるため、枠画像５０１ａ周辺の外の領域（（１）−４、（１）−５、（２）−４、（２）−５、（３）−４、（３）−５、（４）−４、（４）−５）の画素についてカラー情報が「黒」か否かを判定する。
【００７５】
この判定表の一例を下記に示す。
【００７６】
表１  原稿検知の判定一覧（第１の領域（１））
（１）−１  （１）−２  （１）−３  （１）−４  （１）−５  判定    
黒          黒          黒          −          −        原稿なし
黒          黒          黒以外      −          −        原稿あり
黒以外      黒          黒          黒          黒        ※１
黒          黒以外      黒          黒          黒        ※１
黒以外      黒          黒以外      黒          黒        原稿あり
黒          黒以外      黒以外      黒          黒        原稿あり
黒以外      黒          黒          黒以外      黒        ※１
黒          黒以外      黒          黒          黒以外    ※１
黒以外      黒          黒以外      黒以外      黒        ※２
黒          黒以外      黒以外      黒          黒以外    ※３
黒以外      黒以外      黒以外      黒          黒        原稿あり
黒以外      黒以外      黒以外      黒以外      黒        原稿あり
黒以外      黒以外      黒以外      黒          黒以外    原稿あり
黒以外      黒以外      黒以外      黒以外      黒以外    原稿あり
※１：小さい原稿の可能性があるため、原稿台のマーキング中心へ原稿を移動する警告を表示
※２：（３）−１、（３）−３、（３）−４の判定情報を加味して判定を行う。
【００７７】
：（３）−３が「黒」あるいは（３）−３が「黒以外」で（３）−１が「黒」の場合には※１
：（３）−１、（３）−３「黒以外」の場合には原稿あり
※３：（２）−２、（２）−３、（２）−５の判定情報を加味して判定を行う。
【００７８】
：（２）−３が「黒」あるいは（２）−３が「黒以外」で（２）−２が「黒」の場合には※１
：（２）−２、（２）−３「黒以外」の場合には原稿あり
表１記載以外の検知結果については原稿台２０３にゴミや汚れがあるとして、原稿台２０３のクリーニングを指示する警告を表示する。
【００７９】
また、表１のような判定を第２の領域（２）〜第４の領域（４）の各領域についても実施する。
【００８０】
ただし、第２の領域（２）の場合は、判定結果が※２の場合、（４）−１、（４）−３、（４）−４の判定情報を加味して判定を行う。なお、判定結果が※３の場合、（１）−２、（１）−３、（１）−５の判定情報を加味して判定を行う。
【００８１】
また、第３の領域（３）の場合は、判定結果が※２の場合、（１）−１、（１）−３、（１）−４の判定情報を加味して判定を行う。また、判定結果が※３の場合、（４）−２、（４）−３、（４）−５の判定情報を加味して判定を行う。
【００８２】
また、第４の領域（３）の場合は、判定結果が※２の場合、（２）−１、（２）−３、（２）−４の判定情報を加味して判定を行う。なお、判定結果が※３の場合、（３）−２、（３）−３、（３）−５の判定情報を加味して判定を行う。
【００８３】
例として、図１２（ｃ）、（ｄ）、（ｅ）では以下のような判定となる。
【００８４】
図１２（ｃ）の場合、第１の領域（１）では、（１）−１が黒、（１）−２が黒以外、（１）−３が黒以外、（１）−４が黒、（１）−５が黒以外であるため、判定結果は※３になる。つまり、（２）−２、（２）−３、（２）−５の判定情報を加味して、第１の領域（１）の判定を再度行う。ここでは、（２）−２が黒、（２）−３が黒以外であるため、第１の領域（１）の判定結果は※１になる。また、第２の領域（２）では、（２）−１が黒、（２）−２が黒、（２）−３が黒以外であるため、判定結果は原稿ありになる。また、第３の領域（３）では、（３）−１が黒以外、（３）−２が黒以外、（３）−３が黒以外、（３）−４が黒以外、（３）−５が黒以外であるため、結果は原稿ありになる。また、第４の領域（４）では、（４）−１が黒以外、（４）−２が黒、（４）−３が黒以外、（４）−４が黒以外、（４）−５が黒であるため、判定結果は※２になる。つまり、（２）−１、（２）−３、（２）−４の判定情報を加味して、第４の領域（４）の判定を再度行う。ここでは、（２）−１が黒、（２）−３が黒以外であるため、第４の領域（４）の判定結果は※１になる。この結果に基づいて、原稿台２０３のマーキング中心へ原稿２５０を移動する警告表示を行う（図１３）。
【００８５】
図１２（ｄ）の場合、第１の領域（１）では、（１）−１が黒、（１）−２が黒以外、（１）−３が黒以外、（１）−４が黒、（１）−５が黒以外であるため、判定結果は※３になる。つまり、（２）−２、（２）−３、（２）−５の判定情報を加味して、第１の領域（１）の判定を再度行う。ここでは、（２）−２が黒、（２）−３が黒以外であるため、第１の領域（１）の判定結果は※１になる。また、第２の領域（２）では、（２）−１が黒、（２）−２が黒、（２）−３が黒以外であるため、判定結果は原稿ありになる。また、第３の領域（３）では、（３）−１が黒以外、（３）−２が黒以外、（３）−３が黒以外、（３）−４が黒以外、（３）−５が黒以外であるため、結果は原稿ありになる。また、第４の領域（４）では、（４）−１が黒以外、（４）−２が黒、（４）−３が黒以外、（４）−４が黒以外、（４）−５が黒であるため、判定結果は※２になる。つまり、（２）−１、（２）−３、（２）−４の判定情報を加味して、第４の領域（４）の判定を再度行う。ここでは、（２）−１が黒、（２）−３が黒以外であるため、第４の領域（４）の判定結果は※１になる。この結果に基づいて原稿台２０３のマーキング中心へ原稿２５０を移動する警告表示を行う（図１３）。
【００８６】
図１２（ｅ）の場合、第１の領域（１）では、（１）−１が黒以外、（１）−２が黒以外、（１）−３が黒以外、（１）−４が黒以外、（１）−５が黒以外であるため判定結果は原稿ありになる。第２の領域（２）では、（２）−１が黒以外、（２）−２が黒以外、（２）−３が黒以外、（２）−４が黒以外、（２）−５が黒以外であるため判定結果は原稿ありになる。第３の領域（３）では、（３）−１が黒以外、（３）−２が黒以外、（３）−３が黒以外、（３）−４が黒以外、（３）−５が黒以外であるため判定結果は原稿ありになる。第４の領域（４）では、（４）−１が黒以外、（４）−２が黒以外、（４）−３が黒以外、（４）−４が黒以外、（４）−５が黒以外であるため判定結果は原稿ありになる。この結果に基づいて原稿ありと判断し、その状態で原稿を読み込めばよい。
【００８７】
なお、図１２（ｅ），（ｆ），（ｇ）の場合、原稿検知部７０１は、枠画像５０１ａの内側に原稿（原稿画像２５０ａ）があることを検知しているので、その旨、および色を変更する旨を枠画像生成部５０３に通知し、当該通知を受けた前記枠画像生成部５０３は枠画像５０１ａの表示情報、ここでは色情報を赤から青に変更する。これにより、ユーザは原稿２５０の載置位置が枠画像５０１ａの読取範囲内であることを画像表示部５０１の表示により確認することができる。
【００８８】
図１３は、原稿台のマーキング中心へ原稿を移動する警告表示の表示例を示す図である。警告表示５５０は、画像表示部５０１に例えば「原稿が用紙からはみ出します（印刷ＯＫ→スタートキー）」というメッセージとして表示される。この警告表示５５０では、原稿２５０が用紙からはみ出した状態で印刷しても良い場合は、ユーザはスタートキーを押して、印刷の開始を指示する。そうでない場合には、画像表示部５０１の表示を見て、原稿２５０の位置を修正する。
【００８９】
すなわち、警告表示５５０を行う場合、その旨枠画像生成部５０３に通知し、当該通知を受けた枠画像生成部５０３は、枠画像５０１ａの表示に原稿２５０の位置を修正する指示表示である警告表示５５０を加える。これにより、警告表示５５０を合成した合成画像が画像表示部５０１に表示される。原稿検知部７０１による原稿検知処理は、図７のフローチャートにおいてステップＳ１１２で枠画像を表示データに合成した後に実行する。そして、原稿検知処理を実行した後、ステップＳ１１３で表示データの切り替え表示が開始される。
【００９０】
この処理については画像入力に対して毎回実施してもよいが、処理の負荷が大きいことも想定されるため、画像入力の周期を間引いて、すなわち検知間隔を空けて原稿検知部７０１を動作させても良い。具体的には画像入力部３０５から３０ｆｐｓ（ｆｐｓ：フレーム／秒）で動画が入力される場合に、３０ｆｐｓのうち１回だけ画像を抽出して、原稿検知部７０１を動作させることで、原稿検知処理の処理時間を３０分の１にすることができる。すなわち、本実施形態では、原稿検知部７０１の原稿２５０の検知動作回数が、エリアセンサ２０１の画像入力の入力動作（画像入力部３０５への画像データの入力動作）回数よりも少なく設定され、原稿の検知回数を画像入力回数より少なくしている。これにより原稿検知処理の処理時間の短縮化を図ることが可能となり、原稿検知処理の応答性を向上させることができる。
【００９１】
これまで説明してきた本実施形態における画像読取装置の処理は、前述のように図４及び図１１に示した各機能部の機能としてソフトウェアにより実行される。ソフトウェアはプログラムとしてコンピュータ読み取り可能な記録媒体、例えば記憶装置であるＨＤＤ３０２あるいはＲＯＭ３０１ｂに記憶され、ドキュメントスキャナ１０２の制御デバイス３０１のＣＰＵ３０１ａがＲＡＭ３０１ｃをバッファおよびワークエリアとして使用しながらプログラムで定義された手順を実行する。また、この処理方法の一部をネットワーク上に有し、通信回線を通して実現することもできる。
【００９２】
また、このプログラムは、図１４に示すように、前記記録媒体を介して、インターネットなどの通信網１４０によってパーソナルコンピュータなどの装置(１)１４１、（２）１４２、（３）１４３に配布することができる。
【００９３】
すなわち、このプログラムは、例えばコンピュータに内蔵されている記録媒体としてのハードディスクに、あらかじめインストールした状態で提供することができる。また、このプログラムは、プログラムは記録媒体に一時的あるいは永続的に格納し、コンピュータにユニットとして組み込み、あるいは着脱式の記録媒体として利用することで、パッケージソフトウェアとして提供することができる。
【００９４】
記録媒体としては、例えば、フレキシブルディスク、ＣＤ−ＲＯＭ、ＭＯディスク、ＤＶＤ、ＢＤ、磁気ディスク、半導体メモリなどが利用できる。
【００９５】
プログラムは、ダウンロードサイトから、ＬＡＮ（Local Area Network）やインターネットといったネットワークを介して、有線または無線でコンピュータに転送し、そのコンピュータにおいて、内蔵するハードディスクなどの記憶装置にダウンロードさせるようにすることができる。
【００９６】
このように本発明は、画像読取装置の形態に加えてコンピュータに実行させるためのプログラムとしての形態も、あるいは、そのプログラムを記録したコンピュータ読み取り可能な記録媒体としての形態も可能である。
【００９７】
以上のように、本実施形態によれば、次のような効果を奏する。なお、以下の説明では、特許請求の範囲における各構成要素と本実施形態の各部について対応を取り、両者の用語が異なる場合には後者をかっこ書きで示し、両者の対応関係を明確にした。
【００９８】
（１）  本実施形態に係る画像読取装置（ドキュメントスキャナ：図２、図３、図４）１０２は、原稿２５０の上方に位置し、前記原稿２５０を撮像（ステップＳ１０３）する撮像手段（エリアセンサ２０１）と、入力された給紙用紙情報（用紙情報生成部５１０からの給紙用紙情報：ステップＳ１０６，Ｓ１０７）から給紙用紙（給紙トレイ１０３ａ内の用紙）のサイズを判断（ステップＳ１０８）する給紙用紙サイズ判断手段（給紙用紙サイズ判断部５０６：図４）と、前記撮像手段（エリアセンサ２０１：図２、図３）から出力された画像信号に対して、前記判断した用紙サイズを枠画像５０１ａとして生成（ステップＳ１１０）する枠画像生成手段（枠画像生成部５０３：図４）と、前記撮像手段（エリアセンサ２０１）から出力される画像信号に前記枠画像生成手段（枠画像生成部５０３）で生成した枠画像５０１ａを合成（ステップＳ１１２）する画像合成手段（画像合成部５０２：図４）と、前記画像合成手段（画像合成部５０２）によって合成された画像を表示（ステップＳ１１３）する表示手段（画像表示部５０１：図２、図３）と、を備えていることを特徴とする。
【００９９】
この構成により、画像データに枠画像５０１ａを付与した表示データを合成して表示手段（画像表示部５０１）に表示する（図１０、図１２等）ので、印刷用紙に対する原稿読取領域（枠画像５０１ａ）をユーザに提示し、画像読取時に画像が読取範囲の外に出ることがないように注意を喚起することができる。その結果、ユーザは、この提示に応じて画像読取時に読取画像が読取範囲の外に出ることがないように修正すれば、正しい位置で原稿の読み取りが可能となる。
【０１００】
（２）  前記（１）の画像読取装置（ドキュメントスキャナ）１０２において、前記入力された給紙用紙情報から給紙用紙（給紙トレイ１０３ａ内の用紙）の方向を判断（ステップＳ１０８）する給紙用紙方向判断手段（給紙用紙方向判断部５０８：図４）を備え、前記枠画像生成手段（枠画像生成部５０３）は前記給紙用紙方向判断手段（給紙用紙方向判断部５０８）が検知した前記給紙用紙の方向に合わせて前記枠画像５０１ａの表示情報を変更する（例えば赤線から青線へと色を変更する）ので、画像表示部５０１の画像表示によって給紙用紙に対する原稿の印刷状態を判別することができる。
【０１０１】
（３）  前記（１）または（２）の画像読取装置（ドキュメントスキャナ）１０２において、前記原稿の載置位置を検知する原稿検知手段（原稿検知部７０１：図１１）を備え、前記原稿検知手段（原稿検知部７０１）は、前記枠画像５０１ａの内側に前記原稿があることを検知した場合、その旨前記枠画像生成手段（枠画像生成部５０３：図１１）に通知し、当該通知を受けた前記枠画像生成手段（枠画像生成部５０３）は前記枠画像５０１ａの表示情報を変更する（図６、図１２（ｅ），（ｆ），（ｇ））ので、ユーザは原稿の載置位置が枠画像５０１ａの範囲内であることを画像表示部５０１の表示により確認することができる
（４）  前記（３）の画像読取装置（ドキュメントスキャナ）１０２において、前記原稿検知手段（原稿検知部７０１：図１１）は、前記枠画像５０１ａの外側に前記原稿があることを検知した場合、その旨前記枠画像生成手段（枠画像生成部５０３：図１１）に通知し、当該通知を受けた前記枠画像生成手段（枠画像生成部５０３）は、前記枠画像５０１ａの表示に前記原稿の位置を修正する指示表示（警告表示５５０：図１３）を加えるので、ユーザは載置した原稿が読取範囲内に位置していないことを画像表示部５０１の表示により確認することができる。これにより、原稿が読取範囲から外れた状態に応じて、読み取った原稿の印刷を開始し、あるいは原稿の載置位置を修正するなどの対応が可能となる。
【０１０２】
（５）  前記（３）または（４）の画像読取装置（ドキュメントスキャナ）１０２において、前記原稿検知手段（原稿検知部７０１：図１１）の前記原稿の検知動作回数が、前記撮像手段（エリアセンサ２０１）の画像入力の入力動作（画像入力部３０５への画像データの入力動作）回数よりも少ないので、原稿の検知回数が少なくなり、少なくなった分、画像読取動作の応答性を向上させることができる。
【０１０３】
（６）  前記（１）ないし（５）の画像読取装置（ドキュメントスキャナ）１０２では、前記撮像手段（エリアセンサ２０１）は解像度の低い動画撮影機能で前記原稿を撮像する。すなわち、本実施形態では、エリアセンサ２０１を解像度の低い動画撮影機能で動作させ（ステップＳ１０２，Ｓ１０３）、動画撮影された画像データを使用して印刷する画像領域を付与した表示データを生成し、画像表示手段（画像表示部５０１）に表示し、印刷用紙に対する原稿読取領域をユーザに提示することができる。その際、エリアセンサ２０１を解像度の低い動画撮影機能で動作させるので、制御回路に負担を掛けずに迅速に表示処理を行うことができる。
【０１０４】
（７）  本実施形態に係る画像形成装置１００は、（前記（１）ないし（６）の画像読取装置（ドキュメントスキャナ）１０２を備えているので、前記画像読取装置（ドキュメントスキャナ）１０２によって奏される前記（１）ないし（６）に記載した作用・効果を奏することができる。例えば、画像形成装置１００によって原稿画像を複写する際に、原稿の載置位置を検出して、ユーザに供給用紙と原稿との関係を画像表示部５０１に表示し、両者の関係を示すことができる。
【０１０５】
（８）  前記（７）の画像形成装置１００において、原稿用紙サイズを指定する原稿用紙指示手段（原稿用紙指示部５０９：図４、図１１）と、給紙部１０３（もしくは給紙トレイ１０３ａ）にセットされた給紙用紙のサイズと方向を検知する給紙用紙検知手段（給紙用紙検知部５１１：図４、図１１）と、前記原稿用紙指示手段（原稿用紙指示部５０９）で指定された原稿用紙サイズと、前記給紙用紙検知手段（給紙用紙検知部５１１）によって検知された給紙用紙のサイズと方向とから給紙される用紙の情報（給紙用紙情報）を生成し、前記画像読取装置（ドキュメントスキャナ）１０２に出力する用紙情報生成手段（用紙情報生成部５１０：図４、図１１）と、を備えているので、画像読取装置（ドキュメントスキャナ）１０２の給紙用紙サイズ判断手段（給紙用紙サイズ判断部５０６：図４、図１１）、あるいは給紙用紙方向判断手段（給紙用紙方向判断部５０８：図４、図１１）で判断される給紙用紙のサイズ情報、および／または方向情報を給紙用紙情報として前記画像読取装置（ドキュメントスキャナ）１０２側に入力することができる。
【０１０６】
（９）  本実施形態に係る原稿画像表示方法は、原稿２５０の上方に位置する撮像手段（エリアスキャナ）１０２により前記原稿２５０を撮像し（ステップＳ１０１〜Ｓ１０３）、用紙サイズ入力手段（原稿用紙指示部５０９：図４）により前記原稿２５０の用紙サイズを指示し（ステップＳ１０６）、前記撮像手段（エリアスキャナ）１０２から出力された画像信号に対して、枠画像生成手段（枠画像生成部５０３：図４）により前記用紙サイズ入力手段（枠画像生成部５０３）によって入力された用紙サイズを枠画像５０１ａとして生成し（ステップＳ１１０）、前記撮像手段（エリアスキャナ）１０２から出力された画像信号に対して、前記枠画像生成手段（枠画像生成部５０３）で生成した枠画像５０１ａを画像合成手段（画像合成部５０２：図４）により合成し（ステップＳ１１２）、前記画像合成手段（画像合成部５０２）によって合成された画像を表示手段（画像表示部５０１、図２、図４）に表示するので、前記（１）で述べた作用・効果を奏することができる。
【０１０７】
（１０）  プログラムによってコンピュータ（制御デバイス３０１のＣＰＵ３０１ａ：図３）に、原稿２５０の上方に位置する撮像手段（ドキュメントスキャナ）１０２により前記原稿２５０を撮像する手順（ステップＳ１０１〜Ｓ１０３）と、用紙サイズ入力手段（原稿用紙指示部５０９：図４）により前記原稿２５０の用紙サイズを指示する手順（ステップＳ１０６）と、前記撮像手段（ドキュメントスキャナ）１０２から出力された画像信号に対して、前記用紙サイズ入力手段（原稿用紙指示部５０９）によって入力された用紙サイズを枠画像生成手段（枠画像生成部５０３：図４）により枠画像５０１ａとして生成する手順（ステップＳ１１０）と、前記撮像手段（ドキュメントスキャナ）１０２から出力された画像信号に対して前記枠画像生成手段（枠画像生成部５０３）で生成した枠画像５０１ａを画像合成手段（画像合成部５０２：図４）により合成する手順（ステップＳ１１２）と、前記画像合成手段（画像合成部５０２）によって合成された画像を表示手段（画像表示部５０１）に表示する手順（ステップＳ１１３）と、を実行させるので、コンピュータに前記プログラムをダウンロードし、当該コンピュータに実行させることにより前記（１）で述べた作用・効果を奏することができる。
【０１０８】
さらに、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【０１０９】
１００  画像形成装置
１０２  画像読取装置（ドキュメントスキャナ）
１０３ａ  給紙トレイ
２０１  エリアセンサ（撮像手段）
２５０  原稿
３０１  制御デバイス
３０１ａ  ＣＰＵ（コンピュータ）
３０５  画像入力部
５０１  画像表示部（画像表示手段）
５０１ａ  枠画像
５０２  画像合成部（画像合成手段）
５０３  枠画像生成部（枠画像生成手段）
５０６  給紙用紙サイズ判断部（給紙用紙サイズ判断手段）
５０８  給紙用紙方向判断部（給紙用紙方向判断手段）
５０９  原稿用紙指示部（原稿用紙指示手段）
５１０  用紙情報生成部（用紙情報生成手段）
５１１  給紙用紙検知部（給紙用紙検知手段）
５５０  警告表示
７０１  原稿検知部（原稿検知手段）
【先行技術文献】
【特許文献】
【０１１０】
【特許文献１】特開２００６−０６７３３０号公報
【図１】
0006728750.tif 000002
【図２】
0006728750.tif 000003
【図３】
0006728750.tif 000004
【図４】
0006728750.tif 000005
【図５】
0006728750.tif 000006
【図６】
0006728750.tif 000007
【図７】
0006728750.tif 000008
【図８】
0006728750.tif 000009
【図９】
0006728750.tif 000010
【図１０】
0006728750.tif 000011
【図１１】
0006728750.tif 000012
【図１２】
0006728750.tif 000013
【図１３】
0006728750.tif 000014
【図１４】
0006728750.tif 000015